(57)【特許請求の範囲】
【請求項１】
伝熱管を内部に収容するケースを備え、
このケースは、前記伝熱管の上下前後の全周囲を取り囲む複数の壁部を有する角筒状のケース本体部を有し、かつこのケース本体部には、前記伝熱管を加熱するための加熱用気体の給気口および排気口が設けられている、熱交換器であって、
前記ケースは、前記ケース本体部の端部開口を塞ぐように前記ケース本体部の端部に組み付けられる側板を有し、かつこの側板には、前記伝熱管の入水側および出湯側の両端寄り管体部が貫通して固定されており、
前記ケース本体部の下壁部には、上向きの凸状部が前記側板から離間した配置に設けられ、かつこの凸状部上には、前記伝熱管のうち、前記側板とは反対側の端部が載せられて支持されている一方、前記凸状部よりも前記側板寄りの領域においては、前記伝熱管の下部と前記ケース本体部の下壁部との間に、前記加熱用気体を通過させるための隙間が形成されており、
前記ケース本体部の下壁部には、前記隙間を小さくするための上向きの段部が形成され、かつこの段部上に前記凸状部が設けられていることを特徴とする、熱交換器。
【請求項２】
請求項１に記載の熱交換器であって、
前記ケース本体部の下壁部のうち、前記段部よりも加熱用気体流れ方向下流側の位置には、ドレイン排出口が設けられているとともに、前記段部よりも加熱用気体流れ方向上流側および下流側には、前記下壁部の左右幅方向に延びる第１および第２の凹部が形成され、かつ前記下壁部の左右幅方向一端側には、前記第１および第２の凹部の一端部どうしを繋ぐ第３の凹部が形成されており、
前記伝熱管から前記下壁部上に流れ落ちたドレインは、前記第１ないし第３の凹部内のいずれかを流れて前記ドレイン排出口に導かれるように構成されている、熱交換器。
【請求項３】
請求項１または２に記載の熱交換器を備えていることを特徴とする、温水装置。
【発明の詳細な説明】
【技術分野】
【０００１】
本発明は、ケース内に伝熱管が収容された構成を有する熱交換器、およびこの熱交換器を備えた給湯装置などの温水装置に関する。
【背景技術】
【０００２】
従来、給湯装置用の熱交換器の具体例として、特許文献１に記載されたものがある。同文献に記載された熱交換器は、伝熱管を収容するケースが角筒状（矩形筒状）の本体部を有しており、この本体部は所定構造に形成された２つの部材を接合することにより構成されている。このような構成によれば、ケースの構成部品の総数を少なくし、熱交換器の製造コストを低減することが可能である。
【０００３】
しかしながら、熱交換器の製造コストをより低減することが強く望まれる場合が多い。これに対し、前記従来技術においては、ケースの本体部を２つの部材で構成し、これらを接合しているために、前記２つの部材を別々に製作してこれらを組み立てる製造工程が比較的多くなり、製造コストを低減する上で、未だ改善の余地がある。また、給湯装置の熱交換器は、給湯装置を構成するバーナなどと一緒に外装ケース内に収容されるのが一般的である。従来では、このような場合において、熱交換器によって熱回収を終えた排ガスを外装ケースの外部に排出させるための手段として、熱交換器の排気口に排ガスガイド用の部材（排気トップ）を別途取り付けていたのが通例である。したがって、熱交換器とは別個にそのような排気トップを製作して熱交換器に取り付ける作業も煩雑となり、その分だけ製造コストがさらに高くなる不具合がある。
【先行技術文献】
【特許文献】
【０００４】
【特許文献１】特開２００９−１８０３９８号公報
【発明の概要】
【発明が解決しようとする課題】
【０００５】
本発明は、前記したような事情のもとで考え出されたものであって、製造コストを従来よりも低減し、かつ熱交換効率を良くすることが可能な熱交換器、およびこれを備えた温水装置を提供することを、その課題としている。
【課題を解決するための手段】
【０００６】
上記の課題を解決するため、本発明では、次の技術的手段を講じている。
【０００７】
本発明の第１の側面により提供される熱交換器は、伝熱管を内部に収容するケースを備え、このケースは、前記伝熱管の上下前後の全周囲を取り囲む複数の壁部を有する角筒状のケース本体部を有し、かつこのケース本体部には、前記伝熱管を加熱するための加熱用気体の給気口および排気口が設けられている、熱交換器であって、前記ケースは、前記ケース本体部の端部開口を塞ぐように前記ケース本体部の端部に組み付けられる側板を有し、かつこの側板には、前記伝熱管の入水側および出湯側の両端寄り管体部が貫通して固定されており、前記ケース本体部の下壁部には、上向きの凸状部が前記側板から離間した配置に設けられ、かつこの凸状部上には、前記伝熱管のうち、前記側板とは反対側の端部が載せられて支持されている一方、前記凸状部よりも前記側板寄りの領域においては、前記伝熱管の下部と前記ケース本体部の下壁部との間に、前記加熱用気体を通過させるための隙間が形成されており、前記ケース本体部の下壁部には、前記隙間を小さくするための上向きの段部が形成され、かつこの段部上に前記凸状部が設けられていることを特徴として
いる。
【０００８】
このような構成によれば、次のような効果が得られる。
ケースの側板を利用して伝熱管の固定が図られているために、伝熱管を固定させるための構造が簡素化され、熱交換器の組み立て作業性が良好となる。
前記凸状部の存在に基づき、伝熱管の取り付け固定状態がより安定化する効果が得られる。また、伝熱管の下部とケース本体部の下壁部との間に形成された隙間に加熱用気体を通過させることができるために、伝熱管の下部が加熱用気体からの熱回収用途に効率良く利用され、熱交換効率を良好にする上でも好ましいものとなる。
前記段部が設けられていることによって、伝熱管の下部とケース本体部の下壁部との隙間を小さくすることができるために、伝熱管の下部に加熱用気体を作用し難くし、熱交換効率を高める上でより好ましいものとなる。
【０００９】
本発明において、好ましくは、前記ケース本体部の下壁部のうち、前記段部よりも加熱用気体流れ方向下流側の位置には、ドレイン排出口が設けられているとともに、前記段部よりも加熱用気体流れ方向上流側および下流側には、前記下壁部の左右幅方向に延びる第１および第２の凹部が形成され、かつ前記下壁部の左右幅方向一端側には、前記第１および第２の凹部の一端部どうしを繋ぐ第３の凹部が形成されており、前記伝熱管から前記下壁部上に流れ落ちたドレインは、前記第１ないし第３の凹部内のいずれかを流れて前記ドレイン排出口に導かれるように構成されている。
【００１０】
このような構成によれば、熱回収に伴って発生するドレインについては、第１ないし第３の凹部を利用してドレイン排出口に導いてからケース外部に的確に排出することが可能であり、前記段部の存在によってドレインの排出が困難になるといった不具合を生じないようにすることができる。
【００１１】
本発明の第２の側面により提供される温水装置は、本発明の第１の側面により提供される熱交換器を備えていることを特徴としている。
このような構成によれば、本発明の第１の側面により提供される熱交換器について述べたのと同様な効果が得られる。
【００１２】
本発明のその他の特徴および利点は、添付図面を参照して以下に行なう発明の実施の形態の説明から、より明らかになるであろう。
【図面の簡単な説明】
【００１３】
【図１】本発明に係る温水装置の一例を示す斜視図である。
【図２】図１のII−II断面図である。
【図３】図１のIII−III断面図である。
【図４】図１に示す温水装置に具備された熱交換器（本発明に係る熱交換器の一例に相当）の斜視図である。
【図５】図４に示す熱交換器の分解斜視図である。
【図６】図４に示す熱交換器の平面断面図である。
【図７】図４に示す熱交換器のケースの下壁部の構成を示す概略平面断面である。
【図８】図４に示す熱交換器の分解断面図である。
【図９】本発明に係る熱交換器の他の例を示す平面断面図である。
【図１０】本発明に係る熱交換器の他の例を示す要部断面図である。
【発明を実施するための形態】
【００１４】
以下、本発明の好ましい実施の形態について、図面を参照して具体的に説明する。
【００１５】
図１に示す温水装置ＷＨは、２系統の給湯動作が可能な給湯装置として構成されており、燃料ガスなどの燃料を個別に燃焼させることが可能なバーナ３ａ，３ｂ、これらバーナ３ａ，３ｂに燃焼用空気を供給するファン３１、バーナ３ａ，３ｂによって発生された燃焼ガスから顕熱を回収するための１次熱交換器１ａ，１ｂ、および前記燃焼ガスから潜熱を回収するための２次熱交換器ＨＥを具備している。２次熱交換器ＨＥは、本発明に係る熱交換器の一例に相当し、１次熱交換器１ａ，１ｂは、本発明に係る熱交換器の具体例には相当しない。本実施形態における２次熱交換器ＨＥは、１つのケースＣ内に２系統の伝熱管Ｔ１，Ｔ２が収容された１缶２回路方式とされ、図４に示すような外観形態を有する。ただし、その詳細については、後述する。
【００１６】
１次熱交換器１ａ，１ｂは、たとえば多数枚のフィン１２を備えた伝熱管１１ａ，１１ｂが缶体３０内に配され、かつ仕切壁３２によって仕切られた構成である。１次熱交換器１ａ，１ｂを通過した燃焼ガスは、ガイド部材３９を利用して２次熱交換器ＨＥに供給される。図２および図３に示すように、１次熱交換器１ａ，１ｂを上向きに通過した燃焼ガスは、ガイド部材３９内を通過して２次熱交換器ＨＥの給気口５１ａ，５１ｂからケースＣ内に流入して伝熱管Ｔ１，Ｔ２に個別に作用し、その後は共通の排気口５２から外部に排ガスとして排出される。もちろん、排気口５２については、給気口５１ａ，５１ｂと同様に２つ設けた構成としてもよい。
【００１７】
図１において、２次熱交換器ＨＥの伝熱管Ｔ１，Ｔ２の両端には、入水用のヘッダ８０ａ，８０ｂ、および出湯用のヘッダ８１ａ，８１ｂが連結されている。入水用のヘッダ８０ａに供給された湯水は、伝熱管Ｔ１内を通過して加熱された後に、出湯用のヘッダ８１ａおよび配管部８２を介して１次熱交換器１ａに送られてさらに加熱され、出湯口１４ａから出湯する。この湯水は、たとえば一般給湯に用いられ、台所や洗面所などに供給される。一方、入水用のヘッダ８０ｂに供給された湯水は、伝熱管Ｔ２内を通過して加熱された後に、出湯用のヘッダ８１ｂおよび配管部８３を介して１次熱交換器１ｂに送られてさらに加熱され、出湯口１４ｂから出湯する。この湯水は、たとえば暖房あるいは風呂給湯用途に用いられる。不凍液も前記湯水の概念に含まれる。
【００１８】
次に、２次熱交換器ＨＥの構成について、より詳細に説明する。
【００１９】
２次熱交換器ＨＥのケースＣは、略直方体状であり、左右両端部が開口した角筒状（矩形筒状）のケース本体部５と、端部開口５３ａ，５３ｂを塞ぐ側板６ａ，６ｂとを有している。ケース本体部５は、図２および図３に示すように、伝熱管Ｔ１，Ｔ２の上下前後の全周を囲む複数の壁部として、上壁部５０ａ、下壁部５０ｂ、前壁部５０ｃ、および後壁部５０ｄを有している。給気口５１ａ，５１ｂは、後壁部５０ｄに設けられ、排気口５２は、前壁部５０ｃに設けられている。ケース本体部５は、図５に示すように、複数の壁部５０ａ〜５０ｄのそれぞれに対応する領域（壁部５０ａ〜５０ｄと同一符号を付している）を有する１枚のプレート材５'を、角筒状に折り曲げることにより形成されている。このプレート材５'は、たとえばステンレス製の金属板に、前記した給気口５１ａ，５１ｂや排気口５２を形成し、さらには後述する所定の部分についても適宜プレス加工により形成したものである。
【００２０】
図２および図３に示すように、ケース本体部５は、下壁部５０ｂの前後両端縁から前壁部５０ｃおよび後壁部５０ｄが上向きに起立して屈曲し、かつ後壁部５０ｄの上端縁から上壁部５０ａが略水平に屈曲した形態を有している。上壁部５０ａの先端縁には、上向きに屈曲した屈曲片部５０ｅが一体的に形成されている。この屈曲片部５０ｅと前壁部５０ｃの上端縁とは、互いに重ね合わされ、かつこの重ね合わされた部分は、たとえば溶接が施された接合部Ｊ１とされている。この接合部Ｊ１は、本発明でいう「プレート材の両端縁部どうしの接合箇所」の一例に相当する。プレート材５'に溶接を施した場合、この溶
接部分の耐食性が低下する虞があるが、本実施形態では接合部Ｊ１がケース本体部５の最上部またはそれに近い高さに位置している。このような構成によれば、燃焼ガスからの潜熱回収に伴って発生する強酸性のドレインが接合部Ｊ１に接触し難くなり、接合部Ｊ１の腐食を防止する上で好ましいものとなる。前壁部５０ｃの上端縁近傍には、ケースＣの内側に向けて突出した凸部５５ａが一体的に形成されており、上壁部５０ａの先端縁はこの凸部５５ａの上面部に当接することにより上下高さ方向の位置決めが可能とされている。好ましくは、凸部５５ａは、ケース本体部５の幅方向に間隔を隔てて左右一対に設けられており、上壁部５０ａに当接する面は平面状とされ、かつそれらの高さは同一に揃えられている。このことにより、前壁部５０ｃと上壁部５０ａの屈曲片部５０ｅの端面どうしを正確に揃わせることができる。
【００２１】
ケース本体部５の前壁部５０ｃには、一部の領域がその周辺部よりも前方に張り出した形態をもつ突出部５６が一体的に形成されており、この突出部５６の先端面領域に排気口５２および補助開口部５４が設けられている。突出部５６は、図４および図５に示すように、前壁部５０ｃの左右幅方向に延びた形態を有し、排気口５２もそれと同様に左右幅方向に延びた細長状である。突出部５６は、排気トップとしての役割を果たすものであり、図２および図３に示すように、温水装置ＷＨの各部を囲む外装ケース９０の外部に排ガスを導くのに役立つ。
【００２２】
補助開口部５４は、潜熱回収に伴って発生するドレインが何らかのトラブルによりドレイン用の排出口２２からケースＣの外部に排出されない事態が発生し、ケースＣ内に溜まったドレインの水位が異常上昇した場合に、このドレインをケースＣの外部に排出させるための部分である。この補助開口部５４は、排気口５２よりも低い位置に設けられているが、さらには給気口５１ａ，５１ｂの下縁部よりも低い高さに設けられている。このことにより、ケースＣ内にドレインが不当に溜まった場合には、このドレインが給気口５１ａ，５１ｂに流れ込まないようにすることが可能である。
【００２３】
ケースＣ内の前部には、消音材７ａ，７ｂやシール材７ｃがブラケット７０，７１に支持されて設けられている。これらの構成要素は、図４〜図７においては省略するが、少なくとも消音材７ａ，７ｂやシール材７ｃは、ケースＣの左右幅方向に一連に延びた形態に設けられている。ブラケット７０，７１は、ステンレス板を屈曲するなどして形成されており、たとえばスポット溶接によってケースＣに固定されている。消音材７ａ，７ｂは、燃焼ガスの排気音を低減するためのものであるが、接合部Ｊ１の近傍に位置する消音材７ａやブラケット７０は、ドレインが接合部Ｊ１に飛散することを防止する役割も果たす。シール材７ｃは、燃焼ガスが補助開口部５４に向けて進行することを規制する役割を果たし、このことにより補助開口部５４から多くの排ガスが外部に排出されないようにすることができる。また、消音材７ａ，７ｂやシール材７ｃは、伝熱管Ｔ１，Ｔ２よりも前方に配置されているために、温水装置ＷＨの運転停止時において外気温が低下した場合に、熱交換器ＨＥの前方から吹き込む冷気などに起因して、伝熱管Ｔ１，Ｔ２の前部が冷却されて凍結するといった不具合を抑制する効果も得られる。
【００２４】
伝熱管Ｔ１，Ｔ２は、ともに平面視長円状の複数の螺旋状管体が略同心の重ね巻き状に配された構成を有している。伝熱管Ｔ１の下端寄りおよび上端寄り部分は、略水平に延びる直管部２０ａ，２０ｂとされ、これら直管部２０ａ，２０ｂの外端寄り部分はケースＣの側板６ａを貫通している。この貫通部分において、伝熱管Ｔ１と側板６ａとは接合され、互いに固定されている。伝熱管Ｔ２と側板６ｂとの関係も、前記と同様であり、伝熱管Ｔ２の下端寄りおよび上端寄り部分の略水平に延びる直管部２１ａ，２１ｂは、ケースＣの側板６ｂを貫通し、かつこの貫通部分において伝熱管Ｔ２と側板６ｂとは互いに接合されて固定されている。
【００２５】
側板６ａ，６ｂは、ケース本体部５の両端部開口５３ａ，５３ｂに嵌入され、かつこの両端部開口５３ａ，５３ｂの周縁部に接合されている。このことにより、ケース本体部５に対する側板６ａ，６ｂの固定が図られ、さらには伝熱管Ｔ１，Ｔ２の固定も図られている。図８によく表われているように、ケース本体部５の両端部開口５３ａ，５３ｂの周縁には、内向き状に突出した複数の凸部５５ｂがケース本体部５に一体形成されている。側板６ａ，６ｂを両端部開口５３ａ，５３ｂに嵌入させる際には、これら凸部５５ｂに側板６ａ，６ｂを当接させることにより、側板６ａ，６ｂの位置決めを図ることが可能である。好ましくは、これら複数の凸部５５ｂのうち、側板６ａ，６ｂと当接する部分は平面状とされて、側板６ａ，６ｂとの面接触により好適な位置決めが図られるように構成されている。なお、ケースＣ内のうち、伝熱管Ｔ１，Ｔ２どうしの間には、仕切板６８が介装される。
【００２６】
図２および図３に示すように、ケースＣの上壁部５０ａには、伝熱管Ｔ１，Ｔ２の上部と上壁部５０ａとの隙間ｃ１を小さくするための下向き状の段部５０a'が設けられている。同様に、ケースＣの下壁部５０ｂには、伝熱管Ｔ１，Ｔ２の下部と下壁部５０ｂとの隙間ｃ２を小さくするための上向きの段部５０b'が設けられている。このように隙間ｃ１，ｃ２を小さくすると、給気口５１ａ，５１ｂからケースＣ内に流入した燃焼ガスが、それらの隙間ｃ１，ｃ２を通過する際に、この燃焼ガスを伝熱管Ｔ１，Ｔ２の上部および下部に効率良く作用させることが可能である。
【００２７】
下壁部５０ｂの段部５０b'には、伝熱管Ｔ１を支持するための上向きの凸状部５７がさらに設けられている。この凸状部５７は、隙間ｃ２の全長域を塞がないように側板６ａ，６ｂから離間した適当なサイズに形成されており、伝熱管Ｔ１のうち、側板６ａとは反対側の端部は、この凸状部５７上に載せられて支持されている。このことにより、伝熱管Ｔ１のより安定的な支持が図られる。なお、本実施形態では、他方の伝熱管Ｔ２の配置箇所には、凸状部５７に相当する手段は設けられていない。その理由は、伝熱管Ｔ２が比較的小サイズであって、軽量であるために、凸状部５７に相当する手段を設けなくても、安定的な支持を図ることが可能だからである。ただし、本実施形態とは異なり、伝熱管Ｔ２を支持するための凸状部を下壁部５０ｂに設けてもよい。
【００２８】
ケースＣの下壁部５０ｂには、ドレイン排出口２２に向けてドレインを積極的に導くための手段が講じられている。すなわち、図７に示すように、ドレイン排出口２２は、ケースＣの前壁部５０ｃ寄りの位置であって、ケースＣの幅方向の一端側（本実施形態では、側板部６ｂ側）に設けられている。これに対し、段部５０b'よりも後壁部５０ｄ側の位置および前壁部５０ｃ側の位置には、第１および第２の凹部２３ａ，２３ｂ（幅Ｓａ，Ｓｂの部分）がケースＣの左右幅方向に延びて形成されている。また、ケースＣの幅方向一端側には、第１および第２の凹部２３ａ，２３ｂの一端部どうしを繋ぐ第３の凹部２３ｃ（幅Ｓｃの部分）が設けられている。これら第１ないし第３の凹部２３ａ〜２３ｃは、平面視コ字状に繋がっており、ドレインを図７の矢印Ｎ１で示す方向に流れるようにガイドし、ドレイン排出口２２に導く役割を果たす。好ましくは、第１ないし第３の凹部２３ａ〜２３ｃの底面部は、前記の矢印Ｎ１方向に進むほどその高さが低くなるように傾斜した構成とされている。下壁部５０ｂの段部５０b'は、伝熱管Ｔ１，Ｔ２からその上面部にドレインが流れ落ちてきたときには、このドレインを第１ないし第３の凹部２３ａ〜２３ｃ内に円滑に流れ込ませることが可能な形態である。
【００２９】
次に、前記した温水装置ＷＨの作用について説明する。
【００３０】
まず、２次熱交換器ＨＥのケースＣは、そのケース本体部５が１枚のプレート材５'を角筒状に折り曲げて形成されたものであるために、ケースＣの構成部材の総数を少なくすることができる。とくに、本実施形態では、プレート材５'の両端縁を接合するための手
段として、上壁部５０ａの先端縁に形成された屈曲片部５０ｅと前壁部５０ｃの上端縁とを重ね合わせているために、これらの部分から外部への燃焼ガス漏れを生じないように、これらの部分をシール性が良好な状態に的確に接合することが可能である。また、接合部Ｊ１がケースＣの上部に配置されて、この接合部Ｊ１にドレインが接触し難くなる効果が得られることは既に述べたとおりである。
【００３１】
ケースＣの前壁部５０ｃに設けられた突出部５６は、図２および図３を参照して説明したように、外装ケースＣの外部に排ガスを導くための排気トップとして機能するが、この突出部５６は、前壁部５０ｃに一体的に形成されたものである。したがって、排気トップを別途準備してケースＣに組み付ける場合と比較すると、２次熱交換器ＨＥの製造作業はかなり簡略化される。伝熱管Ｔ１，Ｔ２は、側板６ａ，６ｂに接合されており、側板６ａ，６ｂをケース本体部５に組み付けると同時にこれら伝熱管Ｔ１，Ｔ２についてのケースＣへの組み込み、およびその固定も行なわれる。とくに、伝熱管Ｔ１については、下壁部５０ｂに一体形成された凸状部５７を利用して安定的に支持することが可能である。このようなことから、２次熱交換器ＨＥの製造がより容易化され、２次熱交換器ＨＥの製造コスト、ひいては温水装置ＷＨの全体の製造コストを低減することができる。
【００３２】
その他、本実施形態によれば、既述したように、２次熱交換器ＨＥにおいて発生したドレインについては、第１ないし第３の凹部２３ａ〜２３ｃを利用してドレイン排出口２２に円滑に導くことが可能である。ドレインが凸状部５７や段部５０b'によって塞き止められてその排出が困難になるといった不具合も適切に回避することが可能である。
【００３３】
図９および図１０は、本発明の他の実施形態を示している。同図において、前記実施形態と同一または類似の要素には、前記実施形態と同一の符号を付している。
【００３４】
図９に示す実施形態においては、２次熱交換器ＨＥがケースＣ内に伝熱管Ｔ１のみが収容され、前記した伝熱管Ｔ２に相当する伝熱管は収容されていない。このため、側板６ｂは、伝熱管との接合が図られた構成にはされておらず、単に端部開口５３ｂを閉塞する部材として構成されている。本実施形態から理解されるように、本発明に係る熱交換器は、１缶複数回路方式のものに代えて、１缶１回路方式とすることもできる。なお、１缶１回路方式の熱交換器を２つ用いて、それらに対応するバーナを２つ用いる場合、燃焼用空気供給用のファンについては、各バーナに対応させて１つずつ設けた構成とすることができる。
【００３５】
図１０に示す実施形態においては、ケースＣの側板６ａは、外周縁に形成されているフランジ部６０がケース本体部５の端部に外嵌した状態に取り付けられている。このような構成によっても、側板６ａをケース本体部５の端部に対して的確に位置決めして取り付けることが可能である。
【００３６】
本発明は、上述した実施形態の内容に限定されない。本発明に係る熱交換器、および温水装置の各部の具体的な構成は、本発明の意図する範囲内において種々に設計変更自在である。
【００３７】
上述の実施形態では、ケースＣの前壁部５０ｃと上壁部５０ａとは、それらの端縁部どうしが直接的には繋がっておらず、これらの箇所が接合箇所（接合部Ｊ１）とされているが、本発明はこれに限定されない。たとえば、上壁部５０ａと後壁部５０ｄとの端縁部どうしが直接繋がっていない構成とした上で（この場合、上壁部５０ａと前壁部５０ｃとは屈曲した状態で直接繋がっている）、これら上壁部５０ａと後壁部５０ｄとの端縁部どうしを接合させてもよい。この場合においても、接合箇所をケースＣの最上部またはそれに近い高さに配置させてドレインを接触し難くすることができる。もちろん、本発明では、
前記以外の箇所を接合箇所とすることができる。
【００３８】
本発明に係る熱交換器のケース本体部は、角筒状とされるが、本発明でいう角筒状とは、円筒状や楕円筒状のように角部を有しない筒状形状については除外する趣旨であり、正確な矩形断面形状を有する筒状である必要はない。また、本発明に係る熱交換器においては、給気口および排気口の形成箇所も適宜変更可能である。たとえば、上述した実施形態とは反対に、給気口をケースの前壁部に設け、排気口をケースの後壁部に設けた構成とすることもできる。この場合、排気トップとしての役割を果たす突出部は、ケースの後壁部に形成されることは言うまでもない。給気口をケースの底壁部に設けることによって、その下方に位置する１次熱交換器を通過した燃焼ガスを給気口に直接流入させるといった構成を採用することもできる。突出部は、細長状に突出した形態以外として、円筒状や角筒状などに形成してもよいことは勿論である。
【００３９】
伝熱管は、螺旋状管体を用いたものに限らず、たとえばＵ字管や蛇行状のフレキシブル管などを用いた構成とすることもできる。本発明でいう加熱用気体としては、燃焼ガス以外の気体を用いることもできる。たとえば、コージェネレーションシステムの燃料電池あるいはガスエンジンなどから排出される排ガスなども利用することができる。本発明に係る熱交換器は、潜熱回収用に限らず、顕熱回収用にも用いることが可能であり、その種別は問わない。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む。
【符号の説明】
【００４０】
ＷＨ  温水装置
ＨＥ  ２次熱交換器（本発明に係る熱交換器）
Ｃ    ケース
Ｊ１  接合部
Ｔ１，Ｔ２  伝熱管
ｃ１，ｃ２  隙間
５    ケース本体部
５'  プレート材
６ａ，６ｂ  側板
２２  ドレイン用の排出口
２３ａ〜２３ｃ  第１ないし第３の凹部
５０ａ  上壁部
５０ｂ  下壁部
５０b'  段部
５０ｃ  前壁部
５０ｄ  後壁部
５０ｅ  屈曲片部
５１ａ，５１ｂ  給気口
５２  排気口
５３ａ，５３ｂ  端部開口（ケース本体部の）
５５ｂ  凸部
５７  凸状部
【図１】
0005888538.tif 000002
【図２】
0005888538.tif 000003
【図３】
0005888538.tif 000004
【図４】
0005888538.tif 000005
【図５】
0005888538.tif 000006
【図６】
0005888538.tif 000007
【図７】
0005888538.tif 000008
【図８】
0005888538.tif 000009
【図９】
0005888538.tif 000010
【図１０】
0005888538.tif 000011